(57)【特許請求の範囲】
【請求項１】
枠体と、この枠体の水平方向一端側に回動自在に軸支された開閉体を備えた遊技機において、
前記枠体の水平方向他端側に設けられた案内部材と、
前記開閉体の水平方向他端側に設けられ、前記開閉体が前記枠体に対して閉じられた閉位置にあるときに前記案内部材に載置支持される被案内部材と、
前記被案内部材と共に前記開閉体に設けられた弾性補助板であって前記開閉体が前記閉位置にあるときに前記案内部材の前端部分に当接して前記開閉体を開方向へ弾性付勢する弾性補助板とを備え、
前記案内部材と被案内部材の少なくとも一方が低摩擦材料により構成され、
前記開閉体が前記閉位置の直前の位置から前記閉位置へ回動される際に、前記被案内部材が前記案内部材により持ち上げられるようにガイドするガイド部を、前記被案内部材に設け、前記弾性補助板が前記案内部材の前端部分に当接するまで前記被案内部材が前記案内部材上を摺動し、前記開閉体が前記閉位置から開位置へ回動される際、前記弾性補助板により前記開閉体が開方向に付勢されることを特徴とする遊技機。
【請求項２】
前記案内部材が、前記開閉体の前記閉位置とこの閉位置の直前の位置間における前記開閉体の水平方向他端側の移動方向に細長い金属製のレール部材からなり、
前記被案内部材が合成樹脂製のブロック部材からなることを特徴とする請求項１に記載の遊技機。
【発明の詳細な説明】
【技術分野】
【０００１】
本発明は、枠体と、この枠体の水平方向一端側に回動自在に軸支された開閉体を備えた遊技機に関し、枠体に対する開閉体の開閉動作の円滑化を図った遊技機に関するものである。
【背景技術】
【０００２】
従来から、パチンコ遊技機は、主要な機枠として、外枠、開閉枠（枠体）、開閉扉（開閉体）を備え、外枠が遊技ホールの島構造体に取付けられ、開閉枠が外枠の前側を開閉可能に外枠の水平方向一端側に鉛直軸心回りに回動自在にヒンジ結合され、この開閉枠に鉛直な盤面を形成する遊技盤が装着され、開閉扉が開閉枠の前側を開閉可能に開閉枠の水平方向一端側に鉛直軸心回りに回動自在にヒンジ結合されている。
【０００３】
外枠の下端部分の前面部には、左右方向に長い幕板が取付けられている。幕板の前面には、例えば、社名、ロゴや意匠的な装飾模様等が施されている。この幕板の上方に開閉枠が配置されている。
【０００４】
開閉扉は、遊技盤の盤面の前側をカバーする透明なガラス板を有する。開閉扉の下部（ガラス板の下側）には、皿ユニットが遊技者側に膨出するように設けられている。この皿ユニットには、遊技球を貯留する貯留皿、遊技者が操作可能な演出ボタンを有する演出ボタン装置や発射ハンドルなどの種々の遊技部品や電気部品等が装備されている（例えば、特許文献１参照）。
【先行技術文献】
【特許文献】
【０００５】
【特許文献１】特開２０１１−９２２６８号公報
【発明の概要】
【発明が解決しようとする課題】
【０００６】
特許文献１のパチンコ遊技機においては、開閉扉を開閉枠に対して手前に開いたとき、開閉扉の水平方向他端側が、ガラス板、遊技部品や電気部品等の荷重を受けて、開閉扉の水平方向一端側に対して僅かに下がった状態になる。そこで、開閉扉を開閉枠内に対して押し込んで閉じるときには、開閉扉の他端側の下端部が開閉枠の下側の外枠の幕板の上端と摩擦接触しながら持ち上げられるため、開閉扉を開閉枠に対してスムーズに閉じることができないという問題が生じる。
【０００７】
本発明の目的は、開閉体が枠体に対して閉じられた閉位置の直前の位置から閉位置へ回動される際に、水平方向一端側が軸支された開閉体の水平方向他端側が持ち上げられるようにガイドされて、開閉体を枠体に対して容易に且つスムーズに閉じることができる遊技機を提供することである。
【課題を解決するための手段】
【０００８】
本願発明は以下の構成を有するものである。尚、参照符号は、本願発明の理解促進の為に図面に図示した構成要素との対応関係の一例を示したものであり、本願発明の技術的範囲を限定するものではない。
第１発明（遊技機）は、枠体(2,3)と、この枠体(2,3)の水平方向一端側に回動自在に軸支された開閉体(3,4)を備えた遊技機において、前記枠体(2,3)の水平方向他端側に設けられた案内部材(37,37A)と、前記開閉体(3,4)の水平方向他端側に設けられ、前記開閉体(3,4)が前記枠体(2,3)に対して閉じられた閉位置にあるときに前記案内部材(37,37A)に載置支持される被案内部材(38,38A)と、前記被案内部材(38,38A)と共に前記開閉体(3,4)に設けられた弾性補助板(42)であって前記開閉体(3,4)が前記閉位置にあるときに前記案内部材(37,37A)の前端部分に当接して前記開閉体(3,4)を開方向へ弾性付勢する弾性補助板(42)とを備え、前記案内部材(37,37A)と被案内部材(38,38A)の少なくとも一方が低摩擦材料により構成され、前記開閉体(3,4)が前記閉位置の直前の位置から前記閉位置へ回動される際に、前記被案内部材(38,38A)が前記案内部材(37,37A)により持ち上げられるようにガイドするガイド部(43,50)を、前記被案内部材(37,37A)に設け、前記弾性補助板(42)が前記案内部材(37,37A)の前端部分に当接するまで前記被案内部材(38,38A)が前記案内部材(37,37A)上を摺動し、前記開閉体(3,4)が前記閉位置から開位置へ回動される際、前記弾性補助板(42)により前記開閉体(3,4)が開方向に付勢されることを特徴としている。
【０００９】
第２の発明は、第１の発明において、前記案内部材(37,37A)が、前記開閉体(3,4)の前記閉位置とこの閉位置の直前の位置間における前記開閉体(3,4)の水平方向他端側の移動方向に細長い金属製のレール部材からなり、前記被案内部材(38,38A)が合成樹脂製のブロック部材からなることを特徴としている。
【発明の効果】
【００１１】
本願の発明によれば、開閉体を枠体に対して容易に且つスムーズに開閉することができる。
【図面の簡単な説明】
【００１２】
【図１】パチンコ遊技機の正面図である。
【図２】パチンコ遊技機の分解斜視図である。
【図３】開閉扉の背面側の斜視図である。
【図４】開閉枠の下部の要部拡大正面図である。
【図５】皿ユニットの裏面側下部の要部拡大斜視図である。
【図６】案内部材の拡大斜視図である。
【図７】被案内部材の拡大斜視図である。
【図８】被案内部材の拡大側面図である。
【図９】弾性補助板の拡大斜視図である。
【図１０】開閉扉を開閉枠に閉じる際の被案内部材が被案内部材により持ち上げられる状態を示す変遷図である。
【図１１】実施例２の案内部材と被案内部材の側面図である。
【図１２】実施例３の案内部材と被案内部材の側面図である。
【発明を実施するための形態】
【００１３】
以下、本発明を実施するための形態について実施例に基づいて説明する。
【実施例１】
【００１４】
図１〜図５に示すように、パチンコ遊技機１は、主要な機枠として、外枠２、開閉枠３（枠体に相当する）、開閉扉４（開閉体に相当する）を備え、外枠２が遊技ホールの島構造体に取付けられ、開閉枠３が外枠２の前側を開閉可能に外枠２の水平方向左端側（一端側）に鉛直軸心回りに回動自在にヒンジ結合され、開閉扉４が開閉枠３の前側を開閉可能に開閉枠３の水平方向左端側（一端側）に鉛直軸心回りに回動自在にヒンジ結合されている。以下の説明では、パチンコ遊技機１を前側から視た前後左右を前後左右として説明する。
【００１５】
外枠２は、金属板からなる左右の縦フレーム２ａ，２ｂと、金属板と木板とを重ね合わせた上下の横フレーム２ｃ，２ｄを有し、これらのフレーム２ａ〜２ｄの角部を固定金具を介して組み付けた縦長矩形枠状に形成されている。外枠２の左端側に取付けられた上下１対のヒンジベース部材５ａ，５ｂに、開閉枠３の左端側に取付けられた上下１対のヒンジ部材６ａ，６ｂが鉛直向きの支軸を介して枢支されている。
【００１６】
外枠２の下端部分の前面部には、左右方向に長い幕板７が取付けられている。幕板７の前面には、例えば、社名、ロゴや意匠的な装飾模様等が施されている。幕板７の上部には、金属平板状のカバー板８が固定されている。このカバー板８は、開閉枠３の開閉時に、開閉枠３の下端部が円滑に摺接するようにガイドすると共に、幕板７の上部を保護するものである。
【００１７】
開閉枠３は、合成樹脂製の左右の縦フレーム３ａ，３ｂと上下の横フレーム３ｃ，３ｄとからなる縦長矩形枠状に形成され、外枠２の幕板７の上方に配置されている。開閉枠３は、その左端側に取付けられた上下１対のヒンジベース部材６ａ，６ｂに、開閉扉４の左端側に取付けられた上下１対のヒンジ部材９ａ，９ｂが鉛直向きの支軸を介して枢支されている。開閉枠３のフレーム３ａ〜３ｃの内壁部３ｅ〜３ｇは、フレーム３ａ〜３ｃの外壁部よりも後方へ突出しており、外枠２に対して開閉枠３を閉じた状態で、これら内壁部３ｅ〜３ｇが外枠２のフレーム２ａ〜２ｃの内側に位置する。
【００１８】
開閉枠３には鉛直な盤面を形成する遊技盤１０が装着されている。遊技盤１０には、ガイドレール１１が略環状に設けられ、このガイドレール１１の内側に遊技領域１０ａが形成されている。遊技領域１０ａには、多数の障害釘１２、始動入賞口１３、大入賞口１４、可動役物１５、画像表示器１６等が所定の位置に配置されている。遊技盤１０の裏側には、パチンコ遊技機１の制御を統括的に行う遊技制御基板ユニット、画像表示器１６やランプ等の制御を行う演出制御基板ユニット、電源基板ユニットが、夫々、所定位置に取り付けられている。
【００１９】
開閉枠３の下部（遊技盤１０の下側）の前面部の中央部分には、遊技球を遊技領域１０ａに発射する発射機構１８が設けられている。発射機構１８には、遊技球を発射位置に保持する為の発射レール１８ａ、発射位置の遊技球を打撃する発射槌（図示略）、発射された遊技球をガイドレール１１へガイドする発射通路１８ｂなどが設けられている。
【００２０】
開閉枠３の上側の横フレーム３ｃの内壁部３ｆの裏側には、外部の遊技球補給機構（図示略）から遊技球が供給される球補給タンク１９、球補給タンク１９から延びるタンクレール（図示略）が設けられている。開閉枠３の左端部の縦フレーム３ａの内壁部３ｅの裏側には払出ユニット（図示略）が設けられ、この払出ユニットの上端部がタンクレールに接続され、払出ユニットの下端部が払出通路２５に接続されている。払出通路２５は、開閉扉４の下部に形成された出口２５ａに連通している。払出ユニットは、例えば、ステッピングモータ等の駆動部が駆動することにより、賞球又は貸し球としての遊技球を１個ずつ遊技者に払い出すように構成されている。
【００２１】
開閉扉４は、合成樹脂製の左右の縦フレーム４ａ，４ｂと上下の横フレーム４ｃ，４ｄとを有し、遊技盤１０の盤面の前側をカバーする透明なガラス板２１を有する。開閉扉４の上部には、左右１対のランプ取付孔２２ａ，２２ｂが設けられ、これらランプ取付孔２２ａ，２２ｂに左右１対のランプが前向きに装着され、ランプ取付孔２２ａ，２２ｂの前面は光透過性のカバー１７で覆われている。
【００２２】
開閉扉４の下部（ガラス板２１の下側）には、遊技球を貯留する貯留皿２３を有する合成樹脂製の皿ユニット２４が設けられている。この皿ユニット２４は、上下幅が比較的大きく、前方へ膨出するように形成されている。貯留皿２３は、上皿２３ａと下皿２３ｂを備え、上皿２３ａが皿ユニット２４の左側の上部に一体形成され、下皿２３ｂが皿ユニット２４の左側の下部に一体形成されている。払出ユニットから払い出された遊技球は、払出通路２５の出口２５ａから上皿２３ａに導かれて貯留され、上皿２３ａが遊技球で満杯になると下皿２３ｂに導かれて貯留される。
【００２３】
皿ユニット２４には、遊技者が操作可能な演出ボタン２６ａを有する演出ボタン装置２６と、下皿２３ｂに貯留された遊技球を外部へ排出する排出装置２７（図４参照）と、十字状の凸部を有する十字ボタン２８と、球貸ボタン２９と、球抜きボタン３０とが装備されている。
【００２４】
演出ボタン装置２６は、皿ユニット２４の中央部分のボタン取付孔に組み込まれ、演出ボタン２６ａを遊技者が手で押下操作可能に配設されている。演出ボタン２６ａによる操作は、例えば、画像表示器１９による大当り抽選を演出する遊技演出の実行中において、その表示画面に演出ボタン２６ａの操作を促すメッセージが表示されてから所定時間有効である。
【００２５】
皿ユニット２４の右側の下部に発射ハンドル３１が配置され、この発射ハンドル３１が回動操作されると、上皿２３ａから球送り機構３２（図３参照）により発射位置に導入された遊技球が発射機構１８により発射される。上皿２３ａに複数の遊技球が貯留されている場合には、複数の遊技球が約０．６秒間隔で連続的に発射される。発射された遊技球はガイドレール１１により案内され遊技領域１０ａの上部に導入される。遊技領域１０ａに導入された遊技球は、多数の障害釘１２に当たって方向を換えながら落下していき、始動口１３に入賞するか、最下端まで落下して球排出口から排出される。
【００２６】
開閉扉４の右端下部には、外枠２に対して閉状態（ロック状態）の開閉枠３のロック状態を解除し、また、開閉枠３に対して閉状態（ロック状態）の開閉扉４の閉状態（ロック状態）を解除する為にキー操作されるキーシンダ３３が設けられている。このキーシンダ３３は、開閉扉４の下部裏面部に設けられた施錠機構３３ａに連動連結している。
【００２７】
次に、本願特有のガイド手段３６について説明する。
開閉扉４を開閉枠３に対して手前に開いたとき、開閉扉４の右端側部分が、ガラス板２１、遊技部品２６，３１や電気部品等の荷重を受けて、開閉扉４の左端側部分（一端側部分）に対して僅かに下がった状態になる。特に、開閉扉４の右下隅部が、ガラス板２１、演出ボタン装置２６や電気部品等の荷重を最も受けて、開閉扉４の左端側部分に対して最も下がった状態になる。そこで、パチンコ遊技機１には、開閉扉４が開閉枠３に対して閉位置の直前の位置から閉位置へ回動される際、開閉扉４の右端側部分（他端側）を僅かに持ち上げるようにガイドするガイド手段３６が設けられている。
【００２８】
図３〜図８に示すように、ガイド手段３６は、開閉枠３の下端近傍部の右端側部分に設けられた案内部材３７と、開閉扉４の下端近傍部の右端側部分に設けられた被案内部材３８とを備えている。
図４、図６に示すように、案内部材３７は、開閉枠３の右端側部分の下部における縦レール３ｂの左側近傍部位であって、開閉枠３の右下隅部近傍部位に取付けられている。案内部材３７は、側面視略Ｌ形状に形成された厚手の金属板製のレール部材からなる。案内部材３７は、開閉扉４が開閉枠３に対して閉じられた閉位置にあるときに被案内部材３８を載置支持する水平板部３９と、水平板部３９の後端から上方へ所定高さ直角に立ち上げる鉛直板部４０とを有する。
【００２９】
水平板部３９は、開閉扉４が閉位置の直前の位置から閉位置へ回動する際の移動方向（前後方向）にストレートに延びる細長矩形状に形成され、開閉枠３の横レール３ｄの上面に設けられた台座に載置支持されている。水平板部３９の上面は、被案内部材３９が摺動可能な平坦に形成され、後方程上方へ移行する緩傾斜状に配置されている。水平板部３９の前端部分は湾曲部３９aを介して逆Ｌ字状に屈曲されている。
【００３０】
鉛直板部４０には、前後方向に挿通する上下１対のビス挿通孔４０ａ，４０ｂが形成され、ビス挿通孔４０ａ，４０ｂに挿通させたビスにより開閉枠３の下端近傍部の前部に当接状態で固定されている。
【００３１】
図５、図７、図８に示すように、被案内部材３８は、低摩擦の合成樹脂材料で構成された前方開放状の箱形のブロック部材からなり、皿ユニット２４の裏面部の下端近傍部のうちの右端近傍部に案内部材３７と対向する位置であって開閉扉４の裏側の右下隅部近傍部位の位置に後方突出状に設けられている。被案内部材３８の前後方向の長さは、案内部材３７の水平板部３９の前後方向の長さよりも短く設定されている。低摩擦の合成樹脂材料としては、例えば、ナイロン、ポリプロピレン、ポリエチレン、ＡＢＳ樹脂、ポリカーボネート等の合成樹脂が好ましい。
【００３２】
被案内部材３８の左側壁部（図示略）は矩形平坦状に形成され、右側壁部３８ｂの上部は、前後に細長い上壁部３８ｃの右端から傾斜状に形成されている。被案内部材３８の後壁部３８ｄの中段部には凹部３８ｅが形成され、この凹部３８ｅには前後方向に挿通するビス挿通孔３８ｆが形成されている。後壁部３８ｄは、ビス挿通孔３８ｅに挿通させたビスを皿ユニット２４の裏面部に後方突出状に形成されたボス部のネジ穴に螺合することにより前記ボス部に当接状に固定されている。
【００３３】
被案内部材３８には、上方に所定長さ延びる取付部４１が一体形成されている。取付部４１には、前後方向に挿通するビス挿通孔４１ａ，４１ｂが形成されている。取付部４１は、ビス挿通孔４１ａに挿通させたビスにより弾性補助板４２を介して皿ユニット２４の裏面部に固定されている。
【００３４】
被案内部材３８の底部には、開閉扉４が閉位置の直前の位置から閉位置へ回動される際、被案内部材３８が案内部材３７により僅かに持ち上げられるようにガイドするガイド部４３が設けられている。ガイド部４３は、被案内部材３８の底部の後部に後方程上方へ移行する緩傾斜状に形成され、後端部が湾曲状に形成され後壁部３８ｄに連なっている。被案内部材３８の底部の前部には、水平壁部４４が形成され、この水平壁部４４には、前後方向に細長い凸部４４ａが形成されている。この凸部４４ａの底部は、後方程下方へ移行する緩傾斜状に形成されている。
【００３５】
図５、図９に示すように、弾性補助板４２は、バネ鋼製の金属薄板からなり、鉛直板部４５と、鉛直板部４５の下端部の中央から直角に後方へ屈曲した水平板部４６を有する。鉛直板部４５の高さは、被案内部材３８の高さと同一に設定されている。鉛直板部４５には、上下１対のビス挿通孔４５ａ，４５ｂと、上下に細長い長穴４５ｃが形成されている。鉛直板部４５は、被案内部材３８の前面部が当接した状態で、ビス挿通孔４５ａ，４５ｂを挿通させたビスを介して皿ユニット２４の裏面部に当接状態に固定されている。長穴４５ｃには、皿ユニット２４の前記ボス部が挿通している。水平板部４６の後端部は湾曲部４６ａを介して前方へ折り返されている。水平板部４６には、被案内部材３８の凸部４４ａが載置支持されている。
【００３６】
以上説明したパチンコ遊技機１及びガイド手段３６の作用効果について説明する。
遊技中において、遊技領域１０ａに発射された遊技球が障害釘１２に引っ掛かった場合や皿ユニット２４の裏側の球送り機構３２の球詰まり等の不具合が生じた場合、ホール係員は開閉扉４を開けて対処する。開閉扉４を開閉枠３に対して手前に開いたとき、開閉扉４の右端側部分がガラス板２１、演出ボタン装置２６や電気部品等の荷重を受けて、開閉扉４の左端側部分に対して僅かに下がった状態になる。特に、開閉扉４の右下隅部が、ガラス板２１、演出ボタン装置２６や電気部品等の荷重を最も受けて、開閉扉４の左端側部分に対して最も下がった状態になる。
【００３７】
開閉扉４が開閉枠３に対して閉じられる際、図１０（ａ）に示すように、開閉枠３に対して閉じられる閉位置の直前の位置でガイド部４３の後端部が案内部材３７の水平板部３９の湾曲部３９ａに当接し、図１０（ｂ）に示すように、開閉扉４が閉位置の直前の位置から閉位置へ回動されるとき、ガイド部４３が被案内部材３８を斜め上方へガイドすることで、被案内部材３８が案内部材３７により僅かに持ち上げられ、開閉扉４の右端側部分における下側の隅部が外枠２の幕板７の上部に乗り上がる。そして、図１０（ｃ）に示すように、弾性補助板４２の湾曲部４６ａが案内部材３７の前端部分に当接するまで、被案内部材３８が案内部材３７上を摺動して、開閉扉４が開閉枠３に対して閉状態となる。そのため、ホール係員は開閉扉４の右端側部分における下側の隅部を僅かに持ち上げながら回動する必要がなく、開閉扉４を開閉枠３に容易に且つスムーズに閉じることができる。
【００３８】
図１０（ｃ）に示すように、開閉扉４が開閉枠３に対して閉状態（ロック状態）のとき、  弾性補助板４２の水平板部４６の湾曲部４６ａが案内部材３７の前端部分に当接しているので、水平板部４６の湾曲部４６ａには、開閉扉４の開放方向に向く反力（弾性補助板４２による弾性付勢力に相当する）が作用する。そのため、開閉扉４のロック状態が解除されると、開閉扉４の右端側部分を開放側へ回動するから、開閉扉４を開閉枠３から容易に且つスムーズに開けることができる。
【００３９】
被案内部材３８は、低摩擦の合成樹脂材料により構成されているので、被案内部材３８のガイド部４３が案内部材３７の水平板部３９の湾曲部３９ａを円滑に摺動するため、開閉扉４の開閉を容易に行うことができる。案内部材３７が、前後方向に細長い金属製のレール部材からなり、被案内部材３８が合成樹脂製のブロック部材からなるので、安価に製作できる簡単な構成のガイド手段３６で開閉扉４の右端側部分における下側の隅部を容易にスムーズに持ち上げることができる。
【実施例２】
【００４０】
次に、実施例２のガイド手段について説明する。実施例１と同様の構成要素には同様の参照符号を付して説明を省略し、異なる構成要素についてのみ説明する。
図１１に示すように、実施例２のガイド手段は、案内部材３７Ａの前端部分にガイド部５０が形成されている。このガイド部５０は上方程後方へ移行する傾斜状に形成されている。被案内部材３８Ａの底部４８は、ストレートに形成され、後端部が湾曲状に形成され後壁部３８ｄに連なっている。
【００４１】
開閉扉４が開閉枠３に対して閉じられた閉位置の直前の位置から閉位置へ回動される際、その直前の位置で被案内部材３８Ａの後端部が案内部材３７Ａのガイド部５０に当接する。開閉扉４が閉位置の直前の位置から閉位置へ回動されるとき、ガイド部５０が被案内部材３８Ａを斜め上方へガイドすることで、被案内部材３８Ａが案内部材３７Ａにより僅かに持ち上げられ、開閉扉４の右端側部分における下側の隅部が外枠２の幕板７の上部に乗り上がる。そのため、実施例１と同様の効果を奏する。
【実施例３】
【００４２】
次に、実施例３のガイド手段について説明する。実施例１と同様の構成要素には同様の参照符号を付して説明を省略し、異なる構成要素についてのみ説明する。
図１２に示すように、実施例３のガイド手段は、被案内部材を前記実施例１の被案内部材３８と同様の構成とし、案内部材を前記実施例２の案内部材３７Ａと同様の構成にする。つまり、案内部材３７Ａと被案内部材３８に夫々ガイド部４３，５０が設けられている。
【００４３】
開閉扉４が開閉枠３に対して閉じられた閉位置の直前の位置から閉位置へ回動される際、その直前の位置で被案内部材３８の後端部が案内部材３７Ａのガイド部５０に当接する。開閉扉４が閉位置の直前の位置から閉位置へ回動されるとき、ガイド部４３，５０が被案内部材３８を斜め上方へガイドすることで、被案内部材３８が案内部材３７Ａにより僅かに持ち上げられ、開閉扉４の右端側部分における下側の隅部が外枠２の幕板７の上部に乗り上がる。そのため、実施例１と同様の効果を奏する。
【００４４】
次に、前記実施例を部分的に変更した変更形態について説明する。
（１）案内部材３７，３７Ａを低摩擦の合成樹脂材料で構成してもよい。低摩擦材料としては、例えば、ポリプロピレン、ポリエチレン、ＡＢＳ樹脂、ポリカーボネート等の合成樹脂が好ましい。また、被案内部材３８、３８Ａを低摩擦の金属材料で構成してもよい。
【００４５】
（２）外枠２（枠体に相当する）に前記案内部材３７を設け、開閉枠３（開閉体に相当する）に被案内部材３８を設けてもよい。
開閉枠３を外枠２に対して手前に開いたとき、開閉枠３の水平方向右端側部分が、遊技盤１０の荷重を受けて、開閉枠３の水平方向右端側部分に対して僅かに下がった状態になる。特に、開閉枠３の右下隅部が、遊技盤１０の荷重を最も受けて、開閉枠３の左端側部分に対して最も下がった状態になる。
【００４６】
開閉枠３が外枠２に対して閉じられた閉位置の直前の位置から閉位置へ回動される際、ガイド部４３が被案内部材３８を斜め上方へガイドすることで、被案内部材３８が案内部材３７により僅かに持ち上げられ、開閉枠３の右端側部分が外枠２の幕板７の上部に乗り上がる。そのため、ホール係員は開閉枠３の右端側部分における下側の隅部を僅かに持ち上げながら回動する必要がなく、開閉枠３を外枠２に対して容易に且つスムーズに閉じることができる。
【００４７】
（３）本発明は、実施例で示したパチンコ遊技機に限られるものではなく、枠体と、枠体の水平方向一端側に回動可能に枢着された開閉体とを備えた遊技機に適用可能である。
（４）その他、当業者であれば、本発明の趣旨を逸脱することなく、前記実施例に種々の変更を付加した形態が実施可能であり、本発明はそのような変更形態を包含するものである。
【符号の説明】
【００４８】
１        パチンコ遊技機
２        外枠
３        開閉枠
４        開閉扉
１０      遊技盤
３７、３７Ａ    案内部材
３８、３８Ａ    被案内部材
４３、５０      ガイド部
【図１】
0005330490.tif 000002
【図２】
0005330490.tif 000003
【図３】
0005330490.tif 000004
【図４】
0005330490.tif 000005
【図５】
0005330490.tif 000006
【図６】
0005330490.tif 000007
【図７】
0005330490.tif 000008
【図８】
0005330490.tif 000009
【図９】
0005330490.tif 000010
【図１０】
0005330490.tif 000011
【図１１】
0005330490.tif 000012
【図１２】
0005330490.tif 000013